(57)【要約】【課題】本発明は、メモリーチップ用の固定カバーの取り付け操作を簡略化した携帯式電子装置を提供することを目的とする。【解決手段】本発明に係るハウジングは、携帯式電子装置の本体部を構成し、収納した携帯式電子装置のメモリーチップを固定するための固定カバーを備える。前記固定カバーは、前記ハウジングと一体成形され、前記固定カバーの一端は、前記ハウジングに湾曲可能な状態で連接され、前記固定カバーの他端は、ハウジングに解除可能に係合される。【選択図】図３
2013143782.tif 000002
【特許請求の範囲】
【請求項１】
携帯式電子装置の本体部を構成し、収納した前記携帯式電子装置のメモリーチップを固定するための固定カバーを備えるハウジングであって、
前記固定カバーは前記ハウジングと一体成形され、前記固定カバーの一端は前記ハウジングに湾曲可能な状態で連接され、前記固定カバーの他端は前記ハウジングに解除可能に係合されることを特徴とするハウジング。
【請求項２】
前記固定カバーと前記ハウジングとを連接する連結部をさらに備え、前記連結部は、互いに対して移動可能な状態で連接する第一弾性アーム及び第二弾性アームを備えることを特徴とする請求項１に記載のハウジング。
【請求項３】
前記本体部には、メモリーチップを収納するための収容凹所が設けられ、該収容凹所の１つの側壁は前記連結部と互いに連接し、該収容凹所の前記１つの側壁に対向する側壁には係止凹所が設けられ、前記固定カバーの前記他端にはフックが設けられ、該フックを前記係止凹所内に係合することにより、前記メモリーチップを前記収容凹所内に固定させることを特徴とする請求項２に記載のハウジング。
【請求項４】
本体部と、メモリーチップと、を備える携帯式電子装置であって、
前記本体部は、請求項１〜３のいずれか一項に記載のハウジングと、熱可塑性樹脂により前記ハウジングと一体成形される固定カバーと、を備えることを特徴とする携帯式電子装置。
【発明の詳細な説明】
【技術分野】
【０００１】
本発明は、ハウジングに関し、特に携帯式電子装置に用いられるハウジングに関するものである。
【背景技術】
【０００２】
現在、携帯電話機などの携帯式電子装置の機能が多様化するにつれて、それに用いられるメモリーチップも多様化している。例を挙げると、ＳＤカード（Ｓｅｃｕｒｅ  Ｄｉｇｉｔａｌ  Ｍｅｍｏｒｙ  Ｃａｒｄ）、Ｃｏｍｐａｃｔ  Ｆｌａｓｈ（登録商標）カード、ＳＩＭカード（Ｓｕｂｓｃｒｉｂｅｒ  Ｉｄｅｎｔｉｔｙ  Ｍｏｄｕｌｅ  Ｃａｒｄ）などがある。
【０００３】
従来の携帯式電子装置は、メモリーチップを携帯式電子装置の本体部に固定するための保持部品を備え、従来用いられているメモリーチップの保持部品として、メモリーチップを携帯式電子装置の本体部に押し付けて固定するための固定カバーがある。この固定カバーは、一般的に回転軸を介して前記本体部に枢着される。しかし、携帯式電子装置の本体部の内部空間は小さく、回転軸のサイズも小さいため、固定カバーを前記本体部に取り付けることは困難である。
【発明の概要】
【発明が解決しようとする課題】
【０００４】
本発明は、上記の問題点を解決するためのもので、メモリーチップ用の固定カバーの取り付け操作を簡略化した携帯式電子装置を提供することを目的とする。
【課題を解決するための手段】
【０００５】
上記の目的を達成するために、本発明に係るハウジングは、携帯式電子装置の本体部を構成し、収納した携帯式電子装置のメモリーチップを固定するための固定カバーを備える。前記固定カバーは、前記ハウジングと一体成形され、前記固定カバーの一端は、前記ハウジングに湾曲可能な状態で連接され、前記固定カバーの他端は、ハウジングに解除可能に係合される。
【０００６】
また、上記の目的を達成するために、本発明に係る携帯式電子装置は、本体部と、メモリーチップと、を備える。本体部は、ハウジングと、熱可塑性樹脂により前記ハウジングと一体成形される固定カバーと、を備える。前記固定カバーの一端は前記ハウジングに湾曲可能な状態で連接され、前記固定カバーの他端はハウジングに解除可能に係合され、前記メモリーチップは、前記固定カバーにより固定される。
【発明の効果】
【０００７】
従来の技術と異なり、本発明の携帯式電子装置のハウジングは、メモリーチップを固定するための固定カバーと一体に成形されるため、該固定カバーを該ハウジングに装着する作業を省略し、且つ携帯式電子装置全体の構造を簡略化することができる。
【図面の簡単な説明】
【０００８】
【図１】本発明の実施形態に係る携帯式電子装置の斜視図である。
【図２】図１に示した携帯式電子装置の使用状態を示す図である。
【図３】図１に示した携帯式電子装置のもう１つの使用状態を示す図である。
【図４】図３に示した携帯式電子装置のＩＶ−ＩＶ線に沿った断面図である。
【図５】図４に示した携帯式電子装置のＶ部分の拡大図である。
【発明を実施するための形態】
【０００９】
本発明のハウジングは、携帯電話機及びダブレットパソコンなどの携帯式電子装置に用いられる。以下の実施形態において、携帯電話機を例として、本発明のハウジング及び該ハウジングを備える携帯式電子装置について詳細に説明する。
【００１０】
図１に示すように、本発明の実施形態に係る携帯電話機１００は、本体部１０及び本体部１０の内部に装着されるメモリーチップ２０を備える。本実施形態において、メモリーチップ２０は、ＳＩＭカードである。
【００１１】
前記本体部１０は、メモリーチップ２０を収納するハウジング１２と、収納したメモリーチップ２０をハウジング１２に固定する固定カバー１４と、ハウジング１２と固定カバー１４とを連接する連結部１６と、を備える。ハウジング１２は、本体部１０の主要な部分を構成し、且つ熱可塑性樹脂によって固定カバー１４及び連結部１６と一体に射出成形される。該熱可塑性樹脂は、ポリカーボネート（Ｐｏｌｙｃａｒｂｏｎａｔｅ，ＰＣ）とガラス繊維との混合物である。
【００１２】
また、ハウジング１２には、メモリーチップ２０を収納するための収容凹所１２２が設けられている。収容凹所１２２は、平面視でほぼ矩形状をなす凹所であり、収容凹所１２２の１つの側壁は、連結部１６と互いに連接され、収容凹所１２２の前記１つの側壁に対向する側壁には、係止凹所１２４が設けられている。固定カバー１４は、この係止凹所１２４に対応して係合される。
【００１３】
固定カバー１４の一端は、ハウジング１２に湾曲可能な状態で連接され、他端は、ハウジング１２に係脱可能に係合される。具体的には、固定カバー１４は、カバーボード１４２及び該カバーボード１４２の一端に設けられたフック１４４を備える。カバーボード１４２の他端は、連結部１６に連接される。フック１４４は、ハウジング１２の係止凹所１２４に係合されて、メモリーチップ２０を収容凹所１２２内に安定して固定させる。カバーボード１４２には、該カバーボード１４２を貫通する操作部１４２２が設けられている。ユーザーは、この操作部１４２２に対して外力を加えることにより、フック１４４を係止凹所１２４から離脱させることができる。
【００１４】
連結部１６は、第一弾性アーム１６２と、この第一弾性アーム１６２とほぼ「Ｖ」字状を形成するように連接された第二弾性アーム１６４と、を備える。第一弾性アーム１６２は、ハウジング１２と互いに連接し、第二弾性アーム１６４は、カバーボード１４２と互いに連接する。また、第一弾性アーム１６２と第二弾性アーム１６４とは、互いに対して湾曲可能である。
【００１５】
以下、図２乃至図５を参照しながら、メモリーチップ２０を携帯電話機１００に装着する時のステップについて説明する。
【００１６】
具体的には、メモリーチップ２０をハウジング１２の収容凹所１２２内に設置した後、固定カバー１４を連結部１６を軸として回転させて、固定カバー１４をメモリーチップ２０の上面に押し付けた後、固定カバー１４のフック１４４をハウジング１２の係止凹所１２４内に係合させる。固定カバー１４がメモリーチップ２０を覆う過程において、連結部１６は湾曲されて変形して弾性力を蓄える。このようにして、メモリーチップ２０は、カバーボード１４２により押圧されて、収容凹所１２２内に安定して収納される。
【００１７】
メモリーチップ２０を取り出す場合、ユーザーは、カバーボード１４２の操作部１４２２に外力を加えて、カバーボード１４２を連結部１６に向かって移動させる。この際、第一弾性アーム１６２と第二弾性アーム１６４とは圧縮されて互いに近づき、フック１４４は係止凹所１２４から離脱する。次いで外力を除去すると、連結部１６の弾性力が解放されて、固定カバー１４がメモリーチップ２０から離れるように回転する。これにより、メモリーチップ２０は完全に露出するため、ユーザーは、メモリーチップ２０を収容凹所１２２から容易に取り出すことができる。
【００１８】
上記の実施形態から分かるように、本発明の携帯電話機１００は、メモリーチップ２０を固定するための固定カバー１４が、ハウジング１２と一体に成形されるため、固定カバー１４をハウジング１２に装着する作業を省略でき且つ携帯電話機１００全体の構造を簡略化することができる。
【００１９】
また、変形例として、カバーボード１４２がハウジング１２に対して回転することができる前提で、連結部１６の形状を「Ｕ」字状にしても良い。また、固定カバー１４は、連結部１６を介してハウジング１２に連設されているが、直接ハウジング１２に連設されてもよい。
【００２０】
以上、本発明の好ましい実施形態について詳細に説明したが、本発明は前記実施形態に限定されるものではなく、本発明の範囲内で種々の変形又は修正が可能であり、該変形又は修正もまた、本発明の特許請求の範囲内に含まれるものであることは、言うまでもない。
【符号の説明】
【００２１】
１０            本体部
１２            ハウジング
１４            固定カバー
１６            連結部
２０            メモリーチップ
１００          携帯電話機
１２２          収容凹所
１２４          係止凹所
１４２          カバーボード
１４４          フック
１６２          第一弾性アーム
１６４          第二弾性アーム
１４２２        操作部
【図１】
2013143782.tif 000003
【図２】
2013143782.tif 000004
【図３】
2013143782.tif 000005
【図４】
2013143782.tif 000006
【図５】
2013143782.tif 000007